(57)【要約】  ３つの排出経路を構成し、被計量物を途中で留まらせることなく排出できる組合せ秤の集合シュートを提供する。本発明の組合せ秤の集合シュートは、円状に配置された複数のホッパから内側方向へ排出される被計量物を集合させて排出する漏斗状の内ファネルと、右側のグループのホッパから外側方向へ排出される被計量物を集合させて排出する右側外ファネル（９ａ）と、左側のグループのホッパから外側方向へ排出される被計量物を集合させて排出する左側外ファネル（９ｂ）とを有し、内ファネルを構成する内ファネル右側部（８ａ）の外側面に右側外ファネル（９ａ）の端縁が固着されてなる右側シュート部材（７ａ）と、内ファネルを構成する内ファネル左側部（８ｂ）の外側面に左側外ファネル（９ｂ）の端縁が固着されてなる左側シュート部材（７ｂ）とが、シュート支持部材である架台（１１）に着脱自在に取り付けられている。
2012056488.tif 000002
【特許請求の範囲】
【請求項１】
円状に配置され、この配置形状の円の内側方向と外側方向とへ択一的に被計量物を排出する複数のホッパから前記内側方向へ排出される被計量物を集合させて下端に設けられた第１の排出口から排出する漏斗状の内ファネルと、
前記内ファネルの一方側側方に沿って配設され、全ての前記ホッパが一方側のグループと他方側のグループとに分けられてなる前記一方側のグループの前記ホッパから前記外側方向へ排出される被計量物を集合させて下端に設けられた第２の排出口から排出する一方側外ファネルと、
前記内ファネルの他方側側方に沿って配設され、前記他方側のグループの前記ホッパから前記外側方向へ排出される被計量物を集合させて下端に設けられた第３の排出口から排出する他方側外ファネルとを有し、
前記内ファネルが鉛直面によって一方側と他方側とに２分割されてなる内ファネル一方側部及び内ファネル他方側部のうちの前記内ファネル一方側部の外側面に前記一方側外ファネルの端縁が固着されてなる一方側シュート部材と、前記内ファネル他方側部の外側面に前記他方側外ファネルの端縁が固着されてなる他方側シュート部材とが、シュート支持部材に着脱自在に取り付けられた、組合せ秤の集合シュート。
【請求項２】
前記一方側外ファネルは、
前記内ファネル一方側部との間に被計量物が通過するための間隔をおいて前記内ファネル一方側部の外側に配設され、下端に開口部からなる前記第２の排出口を有するシュート部と、このシュート部の端縁から延設されて前記内ファネル一方側部の外側面に固着された連結部とを有し、
前記他方側外ファネルは、
前記内ファネル他方側部との間に被計量物が通過するための間隔をおいて前記内ファネル他方側部の外側に配設され、下端に開口部からなる前記第３の排出口を有するシュート部と、このシュート部の端縁から延設されて前記内ファネル他方側部の外側面に固着された連結部とを有する、請求項１に記載の組合せ秤の集合シュート。
【請求項３】
前記内ファネル一方側部の下端及び前記内ファネル他方側部の下端に着脱自在に取り付けられ、前記内ファネルの前記第１の排出口から排出される被計量物を通過させる筒状の下部シュートをさらに有する、請求項１に記載の組合せ秤の集合シュート。
【請求項４】
隣合うｎ個（ｎは複数）の前記ホッパから前記内側方向へ排出される被計量物を前記内ファネルへ導く内シュート部と、前記隣合うｎ個の前記ホッパから前記外側方向へ排出される被計量物を前記一方側外ファネルまたは前記他方側外ファネルへ導く外シュート部とが筒状に連結された複数の上部シュートをさらに有する、請求項１〜３のいずれかに記載の組合せ秤の集合シュート。
【発明の詳細な説明】
【技術分野】
【０００１】
本発明は、３つの排出経路を有する組合せ秤に用いられる集合シュートに関する。
【背景技術】
【０００２】
従来、組合せ秤には、３つの排出経路を備えているものがある（例えば、特許文献１，２等参照）。【０００３】
図６は、従来の集合シュートを用いた組合せ秤を側方から視た一部断面の概略模式図である。【０００４】
この組合せ秤は、センター基体１０の上部に、外部の供給装置から供給される被計量物を振動によって放射状に分散させる円錐形の分散フィーダ１が設けられている。分散フィーダ１の周囲には、分散フィーダ１から送られてきた被計量物を振動によって各供給ホッパ３に送りこむための複数のリニアフィーダ２が設けられている。各リニアフィーダ２の下方には供給ホッパ３が設けられ、さらにその下方に計量ホッパ４が設けられている。これらの供給ホッパ３及び計量ホッパ４はそれぞれセンター基体１０の周囲に円状に複数配置されている。各計量ホッパ４には、計量ホッパ４内の被計量物の重量を計測するロードセル等の重量センサ５が取り付けられている。【０００５】
円状に配置された計量ホッパ４の下方には、３つの排出経路を有する集合シュートが配設されている。この集合シュートは、内シュート３６ａ及び右側、左側外シュート３６Ｒ、３６Ｌからなる上部のシュート部分と、下部の集合ファネル部分とで構成されている。【０００６】
下部の集合ファネル部分は、内ファネル３８と、右側外ファネル３７Ｒと、左側外ファネル３７Ｌとで構成されている。各計量ホッパ４の内側ゲート４ａが開いて排出される被計量物は、内シュート３６ａ及び内ファネル３８を滑り落ちて排出口３８ｅから排出される。また、円状に配置された計量ホッパ４のうち、右側半分の各計量ホッパ４の外側ゲート４ｂが開いて排出される被計量物は、右側外シュート３６Ｒ及び右側外ファネル３７Ｒを滑り落ちて排出口３７Ｒｅから排出される。また、円状に配置された計量ホッパ４のうち、左側半分の各計量ホッパ４の外側ゲート４ｂが開いて排出される被計量物は、左側外シュート３６Ｌ及び左側外ファネル３７Ｌを滑り落ちて排出口３７Ｌｅから排出される。
【先行技術文献】
【特許文献】
【０００７】
【特許文献１】特開２００８−０２０２６９号公報
【特許文献２】特開平８−１５２３５３号公報
【発明の概要】
【発明が解決しようとする課題】
【０００８】
組合せ秤は、食品の計量に用いられることが多く、衛生面等の点から清掃する必要がある。そのような場合のために、上記従来の集合シュートは、上部のシュート部分と、その下部の集合ファネル部分とが分離できるように構成されている。さらに下部の集合ファネル部分は、内ファネル３８と、右側外ファネル３７Ｒと、左側外ファネル３７Ｌとに分離できる。すなわち、内ファネル３８と、右側外ファネル３７Ｒと、左側外ファネル３７Ｌとは着脱自在に取り付けられている。そのため、右側外ファネル３７Ｒには、内ファネル３８の外側面と重ねられる重ね面Ｒｗが設けられ、左側外ファネル３７Ｌにも同様に、内ファネル３８の外側面と重ねられる重ね面Ｌｗが設けられている。【０００９】
しかしながら、内ファネル３８と外ファネル３７Ｒ，３７Ｌとを装着した場合に、内ファネル３８の外側面と各外ファネル３７Ｒ，３７Ｌの重ね面Ｒｗ，Ｌｗとの間に２〜数ｍｍ程度の隙間が生じてしまい、この隙間に被計量物が挟まることがある。被計量物が挟まったままであると、雑菌が発生したりして衛生上、好ましくない。また、上記隙間に被計量物が挟まることにより組合せ秤から排出される被計量物の量に不足が生じる場合もある。【００１０】
本発明は上記のような課題を解決するためになされたもので、３つの排出経路を構成し、被計量物を途中で留まらせることなく排出できる組合せ秤の集合シュートを提供することを目的としている。
【課題を解決するための手段】
【００１１】
上記目的を達成するために、本発明の組合せ秤の集合シュートは、円状に配置され、この配置形状の円の内側方向と外側方向とへ択一的に被計量物を排出する複数のホッパから前記内側方向へ排出される被計量物を集合させて下端に設けられた第１の排出口から排出する漏斗状の内ファネルと、前記内ファネルの一方側側方に沿って配設され、全ての前記ホッパが一方側のグループと他方側のグループとに分けられてなる前記一方側のグループの前記ホッパから前記外側方向へ排出される被計量物を集合させて下端に設けられた第２の排出口から排出する一方側外ファネルと、前記内ファネルの他方側側方に沿って配設され、前記他方側のグループの前記ホッパから前記外側方向へ排出される被計量物を集合させて下端に設けられた第３の排出口から排出する他方側外ファネルとを有し、前記内ファネルが鉛直面によって一方側と他方側とに２分割されてなる内ファネル一方側部及び内ファネル他方側部のうちの前記内ファネル一方側部の外側面に前記一方側外ファネルの端縁が固着されてなる一方側シュート部材と、前記内ファネル他方側部の外側面に前記他方側外ファネルの端縁が固着されてなる他方側シュート部材とが、シュート支持部材に着脱自在に取り付けられている。【００１２】
この構成によれば、一方側シュート部材と他方側シュート部材とがシュート支持部材に取り付けられることにより、組合せ秤の３つの排出経路となる内ファネルと一方側外ファネルと他方側外ファネルとが構成される。ここで、一方側シュート部材において、一方側外ファネルの端縁が内ファネル一方側部の外側面に固着されているので、一方側外ファネルを通過する被計量物の挟まる隙間が無く、被計量物は一方側外ファネルの途中で留まることなく下端の第２の排出口から排出される。同様に、他方側シュート部材において、他方側外ファネルの端縁が内ファネル他方側部の外側面に固着されているので、他方側外ファネルを通過する被計量物の挟まる隙間が無く、被計量物は他方側外ファネルの途中で留まることなく下端の第３の排出口から排出される。また、内ファネルは、内ファネルが鉛直面によって２分割されてなる内ファネル一方側部と内ファネル他方側部とによって構成されているので、内ファネル一方側部と内ファネル他方側部との間の隙間を無くして一方側シュート部材と他方側シュート部材とを取り付けることができ、被計量物は内ファネルの途中で留まることなく下端の排出口から排出される。以上のように、３つの排出経路の各々を通過する被計量物を途中で留まらせることなく排出することができる。【００１３】
また、前記一方側外ファネルは、前記内ファネル一方側部との間に被計量物が通過するための間隔をおいて前記内ファネル一方側部の外側に配設され、下端に開口部からなる前記第２の排出口を有するシュート部と、このシュート部の端縁から延設されて前記内ファネル一方側部の外側面に固着された連結部とを有し、前記他方側外ファネルは、前記内ファネル他方側部との間に被計量物が通過するための間隔をおいて前記内ファネル他方側部の外側に配設され、下端に開口部からなる前記第３の排出口を有するシュート部と、このシュート部の端縁から延設されて前記内ファネル他方側部の外側面に固着された連結部とを有していてもよい。【００１４】
また、前記内ファネル一方側部の下端及び前記内ファネル他方側部の下端に着脱自在に取り付けられ、前記内ファネルの前記第１の排出口から排出される被計量物を通過させる筒状の下部シュートをさらに有していてもよい。【００１５】
この構成によれば、下部シュートによって、内ファネル一方側部と内ファネル他方側部との下部同士を固定することができる。下部シュートは筒状であり、例えば、漏斗状あるいは円筒状であってもよい。すなわち、漏斗状の下部シュートも筒状の下部シュートの１つである。【００１６】
また、隣合うｎ個（ｎは複数）の前記ホッパから前記内側方向へ排出される被計量物を前記内ファネルへ導く内シュート部と、前記隣合うｎ個の前記ホッパから前記外側方向へ排出される被計量物を前記一方側外ファネルまたは前記他方側外ファネルへ導く外シュート部とが筒状に連結された複数の上部シュートをさらに有していてもよい。【００１７】
この構成によれば、複数の上部シュートの下方に一方側シュート部材及び他方側シュート部材が配設されるので、一方側シュート部材及び他方側シュート部材の小型化が図れ、それらの着脱作業を行いやすくなる。
【発明の効果】
【００１８】
本発明は、以上に説明した構成を有し、３つの排出経路を構成し、被計量物を途中で留まらせることなく排出できる組合せ秤の集合シュートを提供することができるという効果を奏する。【００１９】
本発明の上記目的、他の目的、特徴、及び利点は、添付図面参照の下、以下の好適な実施態様の詳細な説明から明らかにされる。
【図面の簡単な説明】
【００２０】
【図１】図１（ａ）は、本発明の実施形態の集合シュートを用いた組合せ秤を側方から視た一部断面の概略模式図であり、図１（ｂ）は、同組合せ秤の集合シュート及び計量ホッパを上方から視た概略模式図である。
【図２】図２（ａ）は、本発明の実施形態における組合せ秤の集合ファネルを上から視た平面図であり、図２（ｂ）は、同集合ファネルの側面図である。
【図３】図３は、本発明の実施形態における組合せ秤から取り外したときの集合ファネルの斜視図である。
【図４】図４（ａ）は、本発明の実施形態における集合ファネルの右側外ファネルを斜め下方から視た斜視図であり、図４（ｂ）は、同右側外ファネルの平面図である。
【図５】図５（ａ）は、本発明の実施形態における集合ファネルの内ファネル左側部の合わせ面と内ファネル右側部の合わせ面とが重ねられた部分を示す斜視図であり、図５（ｂ）は、同集合ファネルの下部ファネルの取り付け方法を示す図である。
【図６】図６は、従来の集合シュートを用いた組合せ秤を側方から視た一部断面の概略模式図である。
【発明を実施するための形態】
【００２１】
以下、本発明の好ましい実施の形態を、図面を参照しながら説明する。なお、以下では全ての図面を通じて同一又は相当する要素には同一の参照符号を付して、その重複する説明を省略する。また、本発明は、以下の実施形態に限定されない。
【００２２】
（実施形態）
図１（ａ）は、本発明の実施形態の集合シュートを用いた組合せ秤を側方から視た一部断面の概略模式図であり、図１（ｂ）は、同組合せ秤の集合シュート及び計量ホッパを上方から視た概略模式図である。以下では、便宜上、図１（ａ）に示すように組合せ秤の左右を決めて説明する。すなわち、組合せ秤において、一方側を右側とし、他方側（一方側の反対側）を左側として説明する。
【００２３】
この組合せ秤は、図１（ａ）に示すように、センター基体（ボディ）１０は、架台１１に固定された複数本の脚（図示せず）によって支持されている。架台１１は図示されない複数本の支柱によって床上などに支持されている。センター基体１０の上部に、外部の供給装置から供給される被計量物を振動によって放射状に分散させる円錐形の分散フィーダ１が設けられている。分散フィーダ１の周囲には、分散フィーダ１から送られてきた被計量物を振動によって各供給ホッパ３に送りこむための複数のリニアフィーダ２が設けられている。各リニアフィーダ２の下方には供給ホッパ３が設けられ、さらにその下方には供給ホッパ３から排出された被計量物が供給される計量ホッパ４が設けられている。これらの供給ホッパ３及び計量ホッパ４はそれぞれセンター基体１０の周囲に円状に複数配置されている。分散フィーダ１、リニアフィーダ２、供給ホッパ３及び計量ホッパ４は、センター基体１０に取り付けられ、センター基体１０内にそれらの駆動ユニット等が収納されている。また、各計量ホッパ４には、計量ホッパ４内の被計量物の重量を計測するロードセル等の重量センサ５が取り付けられ、重量センサ５はセンター基体１０内に収納されている。各重量センサ５による計測値は制御装置２０へ出力される。
【００２４】
計量ホッパ４は、その配置形状である円の内側方向へ被計量物を排出するための内側ゲート４ａと外側方向へ被計量物を排出するための外側ゲート４ｂとが設けられ、被計量物を内側方向と外側方向とへ択一的に排出可能な構成である。
【００２５】
円状に列設された複数の計量ホッパ４の下方には複数の上部シュート６が円状に配設されている。これらの上部シュート６の下方には集合ファネル７が配設されている。複数の上部シュート６と集合ファネル７とで集合シュートが構成されている。
【００２６】
各々の上部シュート６は、隣接して配置された複数の所定個数（例えば４個）の計量ホッパ４に対応して設けられている。そして、各上部シュート６は、筒状に構成され、図１（ｂ）に示すように、内シュート部６ａと、外シュート部６ｂと、内シュート部６ａの端部と外シュート部６ｂの端部とを連結する連結部６ｃ、６ｄとを有している。また、外シュート部６ｂには、その下部に沿って、右側外ファネル９ａまたは左側外ファネル９ｂ内へ外部からごみ等が入らないようにカバー部６ｅ（図１（ａ））が設けられている。また、連結部６ｄの下端には、隣の上部シュート６との隙間を覆うカバー部６ｆが設けられ、互いに隣接する上部シュート６の隙間から右側外ファネル９ａまたは左側外ファネル９ｂ内へ外部からごみ等が入らないようにしている。計量ホッパ４の内側ゲート４ａが開いて排出される被計量物は内シュート部６ａ上を滑り落ち、外側ゲート４ｂが開いて排出される被計量物は外シュート部６ｂ上を滑り落ちる。
【００２７】
集合ファネル７は、中央の排出経路を構成する内ファネル８及び下部シュート８ｃと、右側の排出経路を構成する右側外ファネル９ａと、左側の排出経路を構成する左側外ファネル９ｂとを有している。内ファネル８は、内ファネル右側部８ａと内ファネル左側部８ｂとで構成され、実質的に円状の上部開口を有する漏斗状の形状をなし、下端に開口部からなる排出口８ｄを有している。この内ファネル８の排出口８ｄに漏斗状の下部シュート８ｃが取り付けられている。上部シュート６の内シュート部６ａを通過した被計量物は、内ファネル８及び下部シュート８ｃ上を滑り落ちて、下部シュート８ｃの排出口８ｅから排出される。
【００２８】
右側外ファネル９ａは、内ファネル８の右側側方に沿って配設され、下端に開口部からなる排出口９ａｅを有している。右側外ファネル９ａの上方に配置された上部シュート６の外シュート部６ｂを通過した被計量物は、右側外ファネル９ａ上を滑り落ちて排出口９ａｅから排出される。左側外ファネル９ｂは、内ファネル８の左側側方に沿って配設され、下端に開口部からなる排出口９ｂｅを有している。左側外ファネル９ｂの上方に配置された上部シュート６の外シュート部６ｂを通過した被計量物は、左側外ファネル９ｂ上を滑り落ちて排出口９ｂｅから排出される。
【００２９】
この組合せ秤の下方には、例えば、被計量物の投入口を３つ有する包装機（図示せず）が配置されており、各排出口８ｅ、９ａｅ、９ｂｅのそれぞれから排出される被計量物は、それぞれ包装機の投入口へ投入されて袋詰めにされる。
【００３０】
制御装置２０は、ＣＰＵと、このＣＰＵの動作プログラム及び動作パラメータ等が記憶されているＲＯＭ及びＲＡＭのメモリ等を備えたマイクロコントローラ等からなり、ＣＰＵがＲＯＭに記憶されている動作プログラムを実行することにより、この組合せ秤全体の動作を制御するとともに組合せ処理を行う。すなわち、制御装置２０は、分散フィーダ１及びリニアフィーダ２の振動動作を制御するとともに、供給ホッパ３および計量ホッパ４の排出ゲートの開閉動作を制御する。
【００３１】
また、組合せ処理では、円状に配置された全ての計量ホッパ４のうち、右側半分の計量ホッパ４のグループＡの中から、保持している被計量物の合計重量が所定重量範囲内（目標重量に対する許容範囲内）になる計量ホッパ４の組合せ（以下、「組合せａ」という）を求めるとともに、左側半分の計量ホッパ４のグループＢの中から、保持している被計量物の合計重量が上記所定重量範囲内になる計量ホッパ４の組合せ（以下、「組合せｂ」という）を求めるとともに、全ての計量ホッパ４からなるグループＣの中から、保持している被計量物の合計重量が上記所定重量範囲内になる計量ホッパ４の組合せ（以下、「組合せｃ」という）を求める。ここで、３つの組合せａ、ｂ、ｃを求める際、同一の計量ホッパ４が２つ以上の組合せに含まれないようにする。また、グループＡに含まれる計量ホッパ４の個数とグループＢに含まれる計量ホッパ４の個数とは同数であることが好ましい。
【００３２】
そして、組合せａ、ｂ、ｃに選択されている計量ホッパ４から同時に被計量物を排出させる。このとき、組合せａ及び組合せｂに選択されている計量ホッパ４については外側ゲート４ｂを開いて被計量物を排出させ、組合せｃに選択されている計量ホッパ４については内側ゲート４ａを開いて被計量物を排出させる。組合せａに選択されている計量ホッパ４から排出された被計量物は、上部シュート６の外シュート部６ｂ及び右側外ファネル９ａを滑り落ちて排出口９ａｅから排出される。組合せｂに選択されている計量ホッパ４から排出された被計量物は、上部シュート６の外シュート部６ｂ及び左側外ファネル９ｂを滑り落ちて排出口９ｂｅから排出される。組合せｃに選択されている計量ホッパ４から排出された被計量物は、上部シュート６の内シュート部６ａ、内ファネル８及び下部シュート８ｃを滑り落ちて排出口８ｅから排出される。
【００３３】
上記で説明した組合せ処理及び組合せａ、ｂ、ｃに選択されている計量ホッパ４から被計量物を排出させるタイミングは一例であり、上記例に限られるものではない。例えば、組合せａ、ｂ、ｃをそれぞれ時間をずらして求め、それに応じて組合せａ、ｂ、ｃに選択されている計量ホッパ４から被計量物を排出させるタイミングもずらすようにしてもよい。
【００３４】
なお、制御装置２０は、必ずしも単独の制御装置で構成される必要はなく、複数の制御装置が分散配置されていて、それらが協働して組合せ秤の動作を制御するよう構成されていてもよい。
【００３５】
図２（ａ）は、集合ファネル７を上から視た平面図であり、図２（ｂ）は、集合ファネル７の側面図である。また、図３は、組合せ秤から取り外したときの集合ファネル７の斜視図である。
【００３６】
本実施形態における集合ファネル７は、図３に示すように、右側シュート部材７ａと、左側シュート部材７ｂと、下部シュート８ｃとの３つの部品に分離できる。
【００３７】
右側シュート部材７ａは、内ファネル右側部８ａと右側外ファネル９ａとが結合されて構成されている。右側外ファネル９ａは、下端に排出口９ａｅが設けられ、内ファネル８の右側側方に沿って配設されるシュート部９ｓと、このシュート部９ｓの端縁と内ファネル右側部８ａの外側面とを連結する連結部９ｒとを有している。この右側外ファネル９ａのシュート部９ｓは内ファネル右側部８ａの外側面との間に間隔をおいて設けられ、右側外ファネル９ａのシュート部９ｓと内ファネル右側部８ａの外側面との間を計量ホッパ４から外側方向へ排出された被計量物が通過する。右側外ファネル９ａの連結部９ｒは、そのシュート部９ｓの端縁から延設されて内ファネル右側部８ａの外側面と結合（固着）されている。
【００３８】
同様に、左側シュート部材７ｂは、内ファネル左側部８ｂと左側外ファネル９ｂとが結合されて構成されている。左側外ファネル９ｂは、下端に排出口９ｂｅが設けられ、内ファネル８の左側側方に沿って配設されるシュート部９ｓと、このシュート部９ｓの端縁と内ファネル左側部８ｂの外側面とを連結する連結部９ｒとを有している。この左側外ファネル９ｂのシュート部９ｓは内ファネル左側部８ｂの外側面との間に間隔をおいて設けられ、左側外ファネル９ｂのシュート部９ｓと内ファネル左側部８ｂの外側面との間を計量ホッパ４から外側方向へ排出された被計量物が通過する。左側外ファネル９ｂの連結部９ｒは、そのシュート部９ｓの端縁から延設されて内ファネル左側部８ｂの外側面と結合（固着）されている。
【００３９】
内ファネル右側部８ａ及び内ファネル左側部８ｂは、内ファネル８が鉛直面で左右に均等に２分割されてなる部分である。
【００４０】
図４（ａ）は、右側外ファネル９ａを斜め下方から視た斜視図であり、図４（ｂ）は、同右側外ファネル９ａの平面図である。
【００４１】
この右側外ファネル９ａの連結部９ｒの太線部分で示す端縁１７が内ファネル右側部８ａの外側面に沿うように形成されており、同端縁１７と内ファネル右側部８ａの外側面とを例えば溶接によって接合することにより、内ファネル右側部８ａの外側面に右側外ファネル９ａの端縁が隙間なく固着されて右側シュート部材７ａが構成されている。
左側シュート部材７ｂも、右側シュート部材７ａと同様の構成であり、左側外ファネル９ｂの連結部９ｒの端縁と内ファネル左側部８ｂの外側面とを例えば溶接によって接合することにより、内ファネル左側部８ｂの外側面に左側外ファネル９ｂの端縁が隙間なく固着されて左側シュート部材７ｂが構成されている。
【００４２】
また、図３に示すように、内ファネル右側部８ａと内ファネル左側部８ｂとには、それぞれ合わせ面１４ａ、１４ｂが設けられている。また、右側シュート部材７ａの右側外ファネル９ａの外側面に３つのフック部材１２が取り付けられ、左側シュート部材７ｂの左側外ファネル９ｂの外側面にも３つのフック部材１２が取り付けられている。それぞれのフック部材１２には、下方へ突出したピン１２ｐ（図２（ｂ）参照）が設けられている。
【００４３】
また、図２（ａ）に示すように、架台１１には、各フック部材１２が取り付けられるブラケット１３が複数設けられており、架台１１がシュート支持部材となる。
【００４４】
なお、内ファネル右側部８ａ及び内ファネル左側部８ｂの外側面は、計量ホッパ４から内側方向へ排出された被計量物が通過（滑落）する面（内側面）の裏面である。
【００４５】
〔集合シュートの取り付け方法〕
上部シュート６及び集合ファネル７が取り外された状態の組合せ秤に、集合ファネル７を装着する場合には、まず、右側シュート部材７ａと左側シュート部材７ｂとを取り付ける。それぞれのフック部材１２を架台１１に固定されているブラケット１３に取り付ける。ブラケット１３にはフック部材１２のピン１２ｐが挿通する穴が設けられており、この穴にピン１２ｐを通して、それぞれのフック部材１２をブラケット１３に取り付けることにより、内ファネル右側部８ａの内側面と内ファネル左側部８ｂの内側面とが向かい合った状態で、右側シュート部材７ａと左側シュート部材７ｂとが架台１１に保持される。また、このときに内ファネル右側部８ａの合わせ面１４ａと内ファネル左側部８ｂの合わせ面１４ｂとが重ねられ、内ファネル左側部８ｂの合わせ面１４ａと内ファネル右側部８ａの合わせ面１４ｂとが重ねられる。図５（ａ）は、内ファネル左側部８ｂの合わせ面１４ａと内ファネル右側部８ａの合わせ面１４ｂとが重ねられた部分１４を示す斜視図である。この図５（ａ）には、フック部材１２は図示されていない。また、図１（ａ）及び図２（ｂ）では、組合せ秤の左側及び右側に位置するフック部材１２が取り付けられるブラケット１３は図示されているが、正面側に位置する２つのフック部材１２が取り付けられるブラケット１３は図示されていない。
【００４６】
次に、下部シュート８ｃを取り付ける。図３に示すように、下部シュート８ｃには上部フランジ８ｃｆが設けられ、この上部フランジ８ｃｆに４つの長穴１５が形成されている。これらの長穴１５は、図５（ｂ）に示すように、一端に径が大きい抜き差し部１５ａを有している。また、内ファネル左側部８ｂの下端には下部フランジ８ｂｆが設けられ、この下部フランジ８ｂｆの下面には、図５（ｂ）に示すように、抜き差し部１５ａに挿通するピン１６が固定されている。このピン１６は、２つの長穴１５の抜き差し部１５ａに対応して２本設けられている。内ファネル右側部８ａも内ファネル左側部８ｂと同様、その下部フランジ８ａｆの下面には、２つの長穴１５の抜き差し部１５ａに対応してピン１６（図５（ｂ）参照）が２本設けられている。下部シュート８ｃを取り付ける際、内ファネル右側部８ａと内ファネル左側部８ｂとの合計４つのピン１６を４つの長穴１５の抜き差し部１５ａに挿通し、下部シュート８ｃの上部フランジ８ｃｆを内ファネル右側部及び左側部８ａ、８ｂの下部フランジ８ａｆ、８ｂｆに当接した状態で、図５（ｂ）に示す矢印Ｓの方向に下部シュート８ｃを回すことにより、下部シュート８ｃが内ファネル右側部及び左側部８ａ、８ｂの下端に取り付けられる。
【００４７】
このようにして、集合ファネル７を装着した後、各々の上部シュート６を集合ファネル７上に載せて、センター基体１０に取り付けられた支持部材（図示せず）によって各々の上部シュート６を固定する。これにより、上部シュート６が集合ファネル７上に支持される。
【００４８】
上部シュート６及び集合ファネル７を取り外す場合には、上記と逆の手順で行えばよい。
【００４９】
本実施形態では、右側シュート部材７ａと左側シュート部材７ｂとが架台１１に着脱自在に取り付けられ、下部シュート８ｃが内ファネル右側部８ａの下端及び内ファネル右側部８ａの下端に着脱自在に取り付けられている。このように右側シュート部材７ａと左側シュート部材７ｂと下部シュート８ｃとが装着されることにより、前述の３つの排出経路が構成される。ここで、右側シュート部材７ａにおいて、右側外ファネル９ａの端縁（端縁１７）が内ファネル右側部８ａの外側面に固着されているので、図６に示す従来例のように内ファネル３８の外側面と右側外ファネル３７Ｒの重ね面Ｒｗとの間の隙間が生じるようなことはない。すなわち、右側外ファネル９ａを通過する被計量物は、それが挟まる隙間が無いので、右側外ファネル９ａの途中で留まることなく下端の排出口９ａｅから排出される。同様に、左側シュート部材７ｂにおいて、左側外ファネル９ｂの端縁が内ファネル左側部８ｂの外側面に固着されているので、図６に示す従来例のように内ファネル３８の外側面と左側外ファネル３７Ｌの重ね面Ｌｗとの間の隙間が生じるようなことはない。すなわち、左側外ファネル９ｂを通過する被計量物は、それが挟まる隙間が無いので、左側外ファネル９ｂの途中で留まることなく下端の排出口９ｂｅから排出される。また、内ファネル８は、内ファネル８が鉛直面によって左右に２分割されてなる内ファネル右側部８ａと内ファネル左側部８ｂとによって構成されているので、内ファネル右側部８ａと内ファネル左側部８ｂとの間の隙間を無くして右側シュート部材７ａと左側シュート部材７ｂとを取り付けることができ、被計量物は内ファネル８の途中で留まることなく通過して排出される。
【００５０】
以上のように、３つの排出経路の各々を通過する被計量物を途中で留まらせることなく排出することができる。その結果、衛生面において優れるとともに、排出される被計量物の量に不足が生じることを防止できる組合せ秤を実現することができる。
【００５１】
なお、本実施形態では、内ファネル８の下端の排出口８ｄに漏斗状の下部シュート８ｃを設けるようにしたが、これに代えて、内ファネル右側部８ａの下端と内ファネル左側部８ｂの下端に着脱自在に取り付けられる円筒状などの下部シュートを設けるように構成してもよい。また、下部シュート８ｃを設けないように構成してもよい。この場合、内ファネル右側部８ａ及び内ファネル左側部８ｂの下端を下方へ延ばして、その排出口の位置が、右側外ファネル９ａの排出口９ａｅ及び左側外ファネル９ｂの排出口９ｂｅの位置と同等の高さとなるように構成すればよい。すなわち、内ファネル右側部８ａ及び内ファネル左側部８ｂを、例えば図６に示される内ファネル３８が鉛直面によって左右に２分割されてなる構成としてもよい。この場合、内ファネル右側部８ａの下部と内ファネル左側部８ｂの下部とが離れることがないように、例えば両方の下部同士を固定し、かつその解除を行うための部材を取り付けることが好ましい。この場合、上記両方の下部同士の固定及びその解除は作業者が道具を使うことなく、手で簡単に行うことができることが好ましい。
【００５２】
また、組合せ秤が小型の場合には、上部シュート６を設けずに、集合シュートを集合ファネル７のみで構成してもよい。この場合、内ファネル８の上端が計量ホッパ４の直下に位置するようにして、計量ホッパ４から内側方向へ排出される被計量物が内ファネル８上へ直接落下し、計量ホッパ４から外側方向へ排出される被計量物が右側及び左側外ファネル９ａ、９ｂ上へ直接落下するように構成すればよい。
【００５３】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００５４】
本発明は、３つの排出経路を構成し、被計量物を途中で留まらせることなく排出できる組合せ秤の集合シュート等として有用である。
【符号の説明】
【００５５】
４  計量ホッパ
４ａ  内側ゲート
４ｂ  外側ゲート
６  上部シュート
６ａ  内シュート部
６ｂ  外シュート部
７  集合ファネル
７ａ  右側シュート部材
７ｂ  左側シュート部材
８  内ファネル
８ａ  内ファネル右側部
８ｂ  内ファネル左側部
８ｃ  下部シュート
９ａ  右側外ファネル
９ｂ  左側外ファネル
９ｓ  シュート部
９ｒ  連結部
１０  センター基体
１１  架台（シュート支持部材）
１２  フック部材
１３  ブラケット
【図１】
2012056488.tif 000003
【図２】
2012056488.tif 000004
【図３】
2012056488.tif 000005
【図４】
2012056488.tif 000006
【図５】
2012056488.tif 000007
【図６】
2012056488.tif 000008
【国際調査報告】
2012056488.tif 000009
2012056488.tif 000010
2012056488.tif 000011
2012056488.tif 000012